(57)【要約】【課題】液晶レンズを用いた３次元表示装置において、液晶レンズにおけるディスクリネーションに起因するクロストークを防止する。【解決手段】液晶レンズには第１の基板と第２の基板の間にツイスト角が９０度であるＴＮタイプの液晶が挟持され、第１の基板の液晶側には、スリットを有する平面形状の第１の電極が形成され、第２の基板の液晶側には、平面で見て櫛歯電極を有する第２の電極が形成され、記第１の電極に形成されたスリットは、第２の電極の櫛歯電極と同じ方向に延在し、平面で見て、スリットは、第２の電極の櫛歯電極と櫛歯電極の中央に位置する。これによって、第２の電極の直上から第１の電極に向かう電気力線が平面方向に広がることを防止することが出来、第２電極直上の光漏れを防止することが出来る。【選択図】図３
2014228840.tif 000002
【特許請求の範囲】
【請求項１】
表示パネルの上に液晶レンズが配置された表示装置であって、
前記液晶レンズは第１の基板と第２の基板の間にツイスト角が９０度であるＴＮタイプの液晶が挟持され、
前記第１の基板の前記液晶側には、スリットを有する平面形状の第１の電極が形成され、前記第２の基板の前記液晶側には、平面で見て櫛歯電極を有する第２の電極が形成され、
前記第１の電極に形成された前記スリットは、前記第２の電極の櫛歯電極と同じ方向に延在し、
平面で見て、前記スリットは、前記第２の電極の櫛歯電極と櫛歯電極の中央に位置することを特徴とする表示装置。
【請求項２】
平面で見て、前記第１の電極の前記第２の電極の前記櫛歯電極と対応する部分には、前記液晶の比誘電率よりも大きな比誘電率を有する材料による膜が形成されていることを特徴とする請求項１に記載の表示装置。
【請求項３】
平面で見て前記第２電極の前記櫛歯電極と櫛歯電極の間の前記第１の基板には、前記スリットを覆って、前記液晶の比誘電率よりも小さい比誘電率を有する材料による膜が形成されていることを特徴とする請求項１に記載の表示装置。
【請求項４】
表示パネルの上に液晶レンズが配置された表示装置であって、
前記液晶レンズは第１の基板と第２の基板の間にツイスト角が９０度であるＴＮタイプの液晶が挟持され、
前記第１の基板の前記液晶側には、平面ベタで第１の電極が形成され、前記第２の基板の前記液晶側には、平面で見て櫛歯状の第２の電極が形成され、
平面で見て、前記第１の電極の前記第２の電極の前記櫛歯電極と対応する部分には、前記液晶の比誘電率よりも大きな比誘電率を有する材料による膜が形成されていることを特徴とする表示装置。
【請求項５】
表示パネルの上に液晶レンズが配置された表示装置であって、
前記液晶レンズは第１の基板と第２の基板の間にツイスト角が９０度であるＴＮタイプの液晶が挟持され、
前記第１の基板の前記液晶側には、平面ベタで第１の電極が形成され、前記第２の基板の前記液晶側には、平面で見て櫛歯状の第２の電極が形成され、
平面で見て前記第２電極の前記櫛歯電極と櫛歯電極の間の前記第１の基板には、前記液晶の比誘電率よりも小さい比誘電率を有する材料による膜が形成されていることを特徴とする表示装置。
【発明の詳細な説明】
【技術分野】
【０００１】
本発明は、表示装置に係わり、特に、液晶表示パネルの表示面側にレンズ機能を有する液晶レンズを配置した方式の３次元表示装置に関する。
【背景技術】
【０００２】
眼鏡等を使用することなく裸眼による３次元（３Ｄ）表示と２次元（２Ｄ）表示とが切り替え可能な表示装置は、例えば、画像表示を行う第１の液晶表示パネルと、該第１の液晶表示パネルの表示面側（観察者側）に配置され、３Ｄ表示時には観察者の左右眼に別々の光線を入射させる視差障壁を形成する第２の液晶表示パネルとを備える構成となっている。このような２Ｄ表示と３Ｄ表示を切り替え可能な液晶表示装置では、第２の液晶表示パネルの液晶分子の配向を制御することにより、第２の液晶表示パネル内の屈折率を変化させ、表示面の上下方向に延在し左右方向に並設されるレンズ（レンチキュラレンズ、シリンドリカルレンズアレイ）領域を形成し、左右眼に対応する画素の光を観察者の視点へと振り向ける構成となっている。
【０００３】
このような構成からなる液晶レンズ方式の３次元表示装置は、例えば、「特許文献１」に記載される自動立体視表示装置がある。この「特許文献１」に記載の表示装置では、液晶層を介して対向配置される一方の透明基板上に面状の電極が形成されると共に、他方の透明基板にはレンズの形成方向に延在する短冊状電極（線状電極）が形成され、レンズの配列方向に線状電極が並設される構成となっている。この構成により、短冊状電極に印加する電圧と面状電極に印加する電圧とを制御して液晶分子の屈折率を制御し、２Ｄ表示と３Ｄ表示とを切り替え制御可能な構成となっている。また、「特許文献１」に記載の液晶レンズは、ＴＮ配向した液晶レンズが記載されている。
【０００４】
「特許文献２」には、液晶表示パネルの上に電極に挟まれた光学特性可変レンズを配置し、光学特性可変レンズを挟む電極に電圧を印加することによって、レンズ特性を制御して３次元画像を形成する構成が記載されている。
【先行技術文献】
【特許文献】
【０００５】
【特許文献１】特表第２００９−５２０２３１号公報
【特許文献２】特許第２８６２４６２号
【発明の概要】
【発明が解決しようとする課題】
【０００６】
図１０は従来の液晶レンズの構造を示す断面図である。図１０において、透明基板である第１基板１０の内側に平面ベタで第１電極１１が形成され、第１電極１１の上に配向膜１２が形成されている。透明基板である第２基板２０の内側に短冊状（櫛歯状）の第２電極２１が形成され、これを覆って第２の配向膜２２が形成されている。第１配向膜１２と第２配向膜２２の配向方向は同じである。第１基板１０および第２基板２０はガラス基板が望ましいが、透明プラスチック基板でもよい。第１基板１０と第２基板２０の間には、液晶層６０が挟持されている。
【０００７】
第２基板２０に形成されている櫛歯電極の電極幅はｗ２であり、櫛歯電極間ピッチはＱであり、櫛歯電極間隔はｓである。第１基板１０と第２基板２０の間隔すなわち、液晶の層厚はｄである。液晶は正の誘電率異方性を有している。液晶レンズを用いた３次元画像表示装置においては、第１電極１０と第２電極２０の間に電圧を印加すると３次元画像表示が可能になり、第１電極１０と第２電極２０の間に電圧を印加しなければ、２次元画像表示が可能である。
【０００８】
図１１は、液晶レンズを用いて３次元画像を形成する原理を示す断面図である。図１１において、人間の眼は、表示装置に形成された画像を液晶レンズを通して視認することになる。図１１において、右眼用の画像はＲであり、左眼用の画像はＬである。図１１における液晶レンズ１００のピッチはＱで、表示装置２００の画素ピッチはＰである。また、人間の左眼の中心と右眼の中心の距離すなわち、眼間距離をＢとしている。一般には、眼間距離Ｂは６５ｍｍと仮定される。液晶レンズのピッチＱと、表示装置の画素ピッチＰと、眼間距離Ｂの関係は（式１）に示すとおりである。
【０００９】
【数１】
2014228840.tif 000003
【００１０】
図１２は、本発明が対象とする液晶レンズ１００を用いた３次元画像表示装置の断面概略図である。図１２において、液晶レンズ１００と表示装置２００は接着材３００で接着している。接着材３００は透明であり、例えば、ＵＶ（紫外線）硬化樹脂が使用される。表示装置２００は液晶表示装置あるいは有機ＥＬ表示装置等が使用される。
【００１１】
図１３は図１２におけるＢ−Ｂ’に対応する液晶レンズの平面図である。図１３において、第１基板１０は表示領域全面において、第１電極１１によって覆われている。第２基板２０には櫛歯状の第２電極２１が形成され、第２電極２１は一端において、バス電極によって接続している。ここで、図１０は、図１３におけるＡ−Ａ’断面に対応する断面図である。
【００１２】
図１４は液晶レンズの原理を示す断面図である。第１電極１１と第２電極２１の間に電圧を印加すると図１４（ａ）のような電気力線Ｆが発生する。第１電極１１と第２電極２１の間に電圧を印加しなければ図１４（ｂ）のように、液晶は水平配向している。なお、本願図面においては、複雑化を防ぐために、プレティルト角は無視している。
【００１３】
第１電極１１と第２電極２１の間に電圧を印加すると、図１４（ｃ）に示すように、第２電極２１上の液晶分子６１は立ち上がり、櫛歯電極間では液晶分子６１は水平配向している。これにより屈折率に分布が生じ、屈折率分布型型（ＧＲＩＮ：Ｇｒａｄｉｅｎｔ  Ｉｎｄｅｘ）レンズとなる。
【００１４】
従来の一般的な液晶レンズは、図１０から図１４に示すようなものであるが、このような構成の液晶レンズは櫛歯電極の上部にディスクリネーションが発生するために、電極上部で入射光が散乱し、クロストークが大きくなることが問題である。ここで、ディスクリネーションとは、液晶分子の並び方に起因する不連続線のことであり、クロストークは、左眼用画像と右眼用画像が十分に分離されないことを言う。因みに、クロストークが大きいと、３次元画像ではなく、単なる２重画像として見えてしまう。
【００１５】
これに対し、液晶レンズにおける液晶分子の配向を図１５に示すように、ＴＮ配向とし、第２の基板２０の液晶が配置されている反対側に偏光板１３を配置することによって、
ディスクリネーション起因によるクロストークを軽減できる可能性がある。
この時、ＴＮは約９０度のねじれ配向である。つまり、図１５（ａ）において、第１基板１０に形成された図示しない第１配向膜の配向方向と、第２基板２０に形成された図示しない第２配向膜の配向方向は９０度である。以下にそのメカニズムについて説明する。
【００１６】
図１５（ａ）は第１電極１１と第２電極２１の間に電圧が印加されていない状態を示している。この時、表示装置からの画像は液晶レンズによって何の影響も受けない。図１５（ｂ）は、第１電極１１と第２電極２１の間に電圧を印加した場合である。第２電極２１である櫛歯電極と櫛歯電極の間にはレンズが形成されるように、液晶が配向する。一方、第２電極２１の上は、電気力線Ｆが第2電極２１に対して垂直方向に向いているので、液晶分子６１も垂直になっている。すなわち、この部分においては、表示装置からの光は透過しない。つまり、クロストークを防止することが出来る。
【００１７】
図１５において、偏光板１３は、表示装置から出射される偏光方向に対して、透過軸が略９０度をなしていることが望ましい。表示装置が液晶表示装置であれば、出射光は偏光光となっているが、表示装置が有機ＥＬ表示装置の場合は、有機ＥＬ表示装置の表面に偏光板を貼り付ける必要がある。
【００１８】
図１６は、この様子を詳しく説明するための断面図である。図１６は第１電極１１と第２電極２１の間に電圧を印加しない場合の入射光の偏光方向、出射光の偏光方向、第１偏光板１３の透過軸の関係を示す断面図である。図１６において、初期配向でＴＮ配向している液晶レンズの場合、電圧無印加時は、入射する偏光光は９０度液晶層内で旋光する。よって、入射偏光方向がＸ軸方向であると、出射時は、偏光方向はＹ軸方向になる。第１偏光板１３の偏光透過軸ＰＡがＹ方向であるとすると、入射光は透過する。よって、第１電極１１と第２電極２１の間に電圧を印加しない２次元表示の場合は、液晶レンズは、表示装置からの出射光に対して影響を及ぼさない。
【００１９】
一方、ＴＮ配向した液晶レンズに電圧を印加すると、液晶分子６１は、図１５（ｂ）のような配向になる。図１５（ｂ）からわかるように、第２の電極２１上部では、液晶分子６１が立ち上がっているために、旋光性が失われる。しかし、櫛歯電極である第２電極２１間の中央付近では、液晶分子６１の配向は、初期配向からほとんど変化しないため、旋光性が生じ、入射光偏光軸は９０度回転する。したがって、第２電極２１上部では光は遮光されるが、第２電極２１間では、光が透過する。従来の液晶レンズでは、第２電極２１上部にディスクリネーションが発生し、光が散乱することによるクロストーク増大が課題となっているが、図１５に示すような構成によって、この課題を解決できる可能性がある。
【００２０】
そこで、ＴＮ配向をした液晶レンズを下記のパラメータで作成した。
液晶の物性値・・・Δｎ＝0.2
液晶のギャップｄ：30μｍ
パネルサイズ・・・3.2”
画素数・・・480×854
画素ピッチP：79.5μｍ
レンズピッチQ:158.8058μｍ
電極幅ｗ２：10μｍ
しかしながら、上記のような液晶レンズでは、液晶のギャップｄ１と電極幅ｗ２の比（ｄ/ｗ２）が３と、大きいために、電界が基板面内方向にも広がってしまうことから十分な縦電界が発生しないことがわかった。したがって、第２電極２１上部の遮光効果が十分に得られない。
【００２１】
図１８（ａ）および（ｂ）は、ＴＮ配向した液晶レンズの透過率分布の例である。図１８（ａ）および（ｂ）において、横軸は位置であり、縦軸は透過率である。図１８（ａ）に示す理想的な透過率分布では、第２の電極２１近傍において、透過率がほぼゼロになる。しかしながら、実際のサンプルでは、上記したような理由のために、図１８（ｂ）に示したような、第２の電極２１の近傍において、透過率が十分に減少しない。つまり、所望の遮光効果が得られない。
【００２２】
ところで、一般的なＴＮ型液晶表示装置では、液晶のギャップが４μｍ 程度であり、それに対して電極幅は数十から数百μｍ である。つまり、ギャップと電極幅の比は非常に小さな値となっている。
【００２３】
本発明の課題は、ＴＮ配向した液晶レンズにおいて、第２電極上の透過率を十分小さくし、ディスクリネーションの発生を防止し、クロストークを防止することである。
【課題を解決するための手段】
【００２４】
上記のような課題を解決するための、本発明における主な手段は次のとおりである。
【００２５】
（１）表示パネルの上に液晶レンズが配置された表示装置であって、前記液晶レンズは第１の基板と第２の基板の間にツイスト角が９０度であるＴＮタイプの液晶が挟持され、前記第１の基板の前記液晶側には、スリットを有する平面形状の第１の電極が形成され、前記第２の基板の前記液晶側には、平面で見て櫛歯電極を有する第２の電極が形成され、前記第１の電極に形成された前記スリットは、前記第２の電極の櫛歯電極と同じ方向に延在し、平面で見て、前記スリットは、前記第２の電極の櫛歯電極と櫛歯電極の中央に位置することを特徴とする表示装置。
【００２６】
（２）平面で見て、前記第１の電極の前記第２の電極の前記櫛歯電極と対応する部分には、前記液晶の比誘電率よりも大きな比誘電率を有する材料による膜が形成されていることを特徴とする（１）に記載の表示装置。
【００２７】
（３）平面で見て前記第２電極の前記櫛歯電極と櫛歯電極の間の前記第１の基板には、前記スリットを覆って、前記液晶の比誘電率よりも小さい比誘電率を有する材料による膜が形成されていることを特徴とする（１）に記載の液晶表示装置。
【００２８】
（４）表示パネルの上に液晶レンズが配置された表示装置であって、
前記液晶レンズは第１の基板と第２の基板の間にツイスト角が９０度であるＴＮタイプの液晶が挟持され、前記第１の基板の前記液晶側には、平面ベタで第１の電極が形成され、前記第２の基板の前記液晶側には、平面で見て櫛歯状の第２の電極が形成され、平面で見て、前記第１の電極の前記第２の電極の前記櫛歯電極と対応する部分には、前記液晶の比誘電率よりも大きな比誘電率を有する材料による膜が形成されていることを特徴とする表示装置。
【００２９】
（５）表示パネルの上に液晶レンズが配置された表示装置であって、
前記液晶レンズは第１の基板と第２の基板の間にツイスト角が９０度であるＴＮタイプの液晶が挟持され、前記第１の基板の前記液晶側には、平面ベタで第１の電極が形成され、前記第２の基板の前記液晶側には、平面で見て櫛歯状の第２の電極が形成され、平面で見て前記第２電極の前記櫛歯電極と櫛歯電極の間の前記第１の基板には、前記液晶の比誘電率よりも小さい比誘電率を有する材料による膜が形成されていることを特徴とする液晶表示装置。
【図面の簡単な説明】
【００３０】
【図１】本発明の実施例１の液晶レンズの断面図である。
【図２】本発明の実施例１の第１電極と第２電極の平面図である。
【図３】本発明の実施例１の位置を変えた断面図である。
【図４】実施例１におけるセルギャップをパラメータにした、第１電極幅と第２電極幅の比と第２電極直上の透過率の関係を示すグラフである。
【図５】セルギャップと、第２電極上で透過率がゼロになる第１電極幅と第２電極幅の比の関係を示すグラフである。
【図６】セルギャップと、第２電極上で透過率が減少し始める第１電極幅と第２電極幅の比の関係を示すグラフである。
【図７】本発明の実施例２の液晶レンズの断面図である。
【図８】本発明の実施例３の液晶レンズの断面図である。
【図９】本発明の実施例４の液晶レンズの断面図である。
【図１０】従来の液晶レンズの構成を示す断面図である。
【図１１】液晶レンズを用いた3次元表示の原理を示す模式図である。
【図１２】液晶レンズを用いた３次元画像表示装置の構成を示す断面図である。
【図１３】液晶レンズにおける第１電極と第２電極の平面図である。
【図１４】従来例の液晶レンズおける液晶分子の配向の例である。
【図１５】ＴＮ配向した液晶レンズの動作を示す断面図である。
【図１６】ＴＮ配向した液晶レンズにおける電圧印加の無い場合の動作を示す模式図である。
【図１７】ＴＮ配向した液晶レンズにおける電圧印加した場合の動作を示す模式図である。
【図１８】ＴＮ配向した液晶レンズにおける、理想的な透過率分布と従来例における現実の透過率分布の比較図である。
【発明を実施するための形態】
【００３１】
以下、本発明を実施例を用いて詳細に説明する。なお、以下の実施例で説明するパラメータは、発明の課題の項において作成した液晶レンズの構成を基準としている。
【実施例１】
【００３２】
図１は、本発明の実施例１を示す断面図である。図１が、従来例である図１５と異なる点は、レンズの中央、すなわち、平面で見て第２電極２１と第２電極２１の間の中央の第１電極１１にスリット１５が形成されていることである。このスリット１５は、紙面垂直方向に延在している。第１電極１１も第２電極２１もＩＴＯ等の透明導電膜によって形成されている。以後、第２電極２１と第２電極２１の間とは、第２電極２１の櫛歯電極と櫛歯電極の間を意味する。また、第２電極２１とは、第２電極２１の櫛歯電極を意味する。
【００３３】
図２（ａ）は第１基板１０における第１電極２１の平面図である。第１電極１１の中にスリット１５が形成されている。図２（ｂ）は、第２基板２０における第２電極２１の平面図である。第２電極２１の形状は、従来例である図１３（ｂ）と同一である。図２（ａ）の第１電極１０に形成されたスリット１５の延在方向と図２（ｂ）の第２電極２１の櫛歯電極の延在方向は同一である。図１は、図２（ａ）および図２（ｂ）のＣ−Ｃ‘断面に相当する。
【００３４】
図１は第１電極１１と第２電極２１の間に電圧が印加されていない状態を示す模式図である。図１において、第１電極２１と第２電極２１の間に電圧を印加しても、第１電極１１に形成されたスリット１５の影響によって、第２電極２１の直上から第１電極１１に向かう電気力線が第１電極１１付近において、面内に広がるのを防止することが出来る。したがって、第２電極２１直上において、バックライトからの光が透過することを防止することが出来る。
【００３５】
なお、スリット１５付近では、液晶レンズにおいては、液晶は電界の影響をほとんど受けないので、電極が無くとも、液晶の旋光性は維持され、液晶レンズの特性に対しては、ほとんど影響は無い。
【００３６】
図３は、実施例１の液晶レンズにおいて、図１とは位置を変えた断面図である。図３において、第１電極幅はｗ１、第２電極幅はｗ２、セルギャップはｄである。図３における第２電極間のピッチＱすなわち、レンズピッチは、先に記載したサンプルのディメンジョンと同じで、Q＝158.8058μｍである。
【００３７】
図４は、セルギャップｄを１５μｍ  、２０μｍ 、３０μｍとした場合における第１電極１１の幅ｗ１と第２電極２１の幅ｗ２の比ｗ１/ｗ２と、第２電極直上の透過率を示すグラフである。図４において、横軸は第１電極の幅ｗ１と第２電極の幅ｗ２の比ｗ１/ｗ２、縦軸は第２電極直上の透過率である。図４において、ｗ１/ｗ２の値がある値以下になると、第２電極直上の透過率がゼロになる。ｗ１/ｗ２が小さくなるにしたがって、第１基板付近における電気力線の面内への広がりが小さくなり、この範囲においては、液晶の旋光が生じなくなるからである。透過率が実質的にゼロになるｗ１/ｗ２はセルギャップによって異なる。
【００３８】
図５は、セルギャップと、透過率がゼロになるｗ１/ｗ２の関係を示すグラフである。図５において、横軸はセルギャップｄであり、縦軸は、第２電極直上において透過率がゼロになるｗ１/ｗ２である。セルギャップｄが大きくなるほど、透過率がゼロになるｗ１/ｗ２は大きくなる。
【００３９】
ここで、透過率がゼロになるｗ１/ｗ２をｙ、ｄをｘとおいた場合図５に示す曲線は、
ｙ＝３．３０３９ｌｎ（ｘ）−６．２９７３
によって近似することが出来る。
【００４０】
図６は、セルギャップｄと、図４において透過率が減少し始めるｗ１/ｗ２との関係である。図６において、横軸はセルギャップｄ、第２電極直上において縦軸は透過率が減少し始めるｗ１/ｗ２である。セルギャップｄが大きくなるほど、透過率が減少し始めるｗ１/ｗ２も大きくなる。
【００４１】
ここで、透過率が減少し始めるｗ１/ｗ２をｙ、ｄをｘとおいた場合図５に示す曲線は、
ｙ＝１２．２６７ｌｎ（ｘ）−２５．７３２
によって近似することが出来る。
【実施例２】
【００４２】
図７は、本発明の第２の実施例を示す液晶レンズの断面図である。図７が、従来例である図１５と異なる点は、第１電極１１の第２電極２１に対応する部分に液晶よりも比誘電率の大きな物質で形成された高誘電率膜１６が配置されていることである。第１基板１０に形成された高誘電率膜１６が存在するために、第２電極２１の直上から出た電気力線は、高誘電率膜１６に集められるために、電気力線が第１基板１０付近において、平面方向に広がることを抑えることが出来る。したがって、第２電極直上における旋光を防止でき、第２電極直上におけるバックライトからの光の透過を防止することが出来る。
【００４３】
液晶分子は棒状であり、短径方向と長径方向では比誘電率が異なるが、この場合の液晶の比誘電率は短径方向と長径方向の平均であり、例えば、１０である。したがって、この場合の高誘電率膜の比誘電率は１０以上であることが望ましい。
【００４４】
このように、本実施例においても、第２電極直上の透過率を防止することが出来るので、ディスクリネーションに起因するクロストークを防止することが出来る。
【実施例３】
【００４５】
図８は、本発明の第３の実施例を示す液晶レンズの断面図である。図８が、従来例である図１５と異なる点は、平面で見て、第１電極１１において、第２電極２１と第２電極２１の間に対応する部分に液晶よりも比誘電率の低い物質で形成された低誘電率膜１７が配置されている点である。第１基板１０に形成された低誘電率膜１７が存在するために、第２電極２１の直上から出た電気力線は、低誘電率膜１７を避けるように分布するために、電気力線が第１基板１０付近において、平面方向に広がることを抑えることが出来る。したがって、第２電極直上における旋光を防止でき、第２電極直上におけるバックライトからの光の透過を防止することが出来る。
【００４６】
上記のように、液晶の比誘電率は例えば１０程度であるので、低誘電率膜１７の比誘電率は１０以下であることが望ましい。このような低誘電率物質としては、アクリル樹脂、シリコン樹脂等の感光性樹脂によって形成することが出来る。
【００４７】
このように、本実施例においても、第２電極直上の透過率を防止することが出来るので、ディスクリネーションに起因するクロストークを防止することが出来る。
【実施例４】
【００４８】
図９は、本発明の第４の実施例を示す液晶レンズの断面図である。図９は、第１の実施例である第１電極１１にスリット１５を形成した構成と、第２の実施例である第２電極２１に対応した部分の第１基板１０に高誘電率膜１６を形成した構成の組み合わせである点に特徴がある。
【００４９】
実施例１で述べたように、第１電極１１に形成されたスリット１５の影響で、第２電極２１の直上からの電気力線は、第１基板１０付近において、平面方向に広がることを抑制される。また、実施例２で述べたように、第１電極１１に形成された高誘電率膜１６の存在によって、第２電極直上から発生した電気力線は、高誘電率膜１６によって集められるので、電気力線が第１基板１０付近において平面方向に広がることをさらに抑制される。したがって、本実施例における効果は、実施例１と実施例２の効果を合わせもつので、第２電極直上におけるバックライトからの光の透過率をさらに減少させることが可能である。
【００５０】
本実施例の他の態様として、図示しないが、第１の実施例で述べた、第１の電極１１に形成されたスリット１５と、このスリット１５を覆って、第３の実施例で述べた低誘電率物質からなる低誘電率膜１７を第１基板１０に配置する構成とすることによって、第１の実施例と第３の実施例の効果を合わせもつ液晶レンズを形成することが出来る。なお、この場合の低誘電率膜１７は、平面で見て、第２電極２１と第２電極２１の間の第１基板１０に形成されている。
【符号の説明】
【００５１】
１０……第１基板  １１……第１電極  １２……第１配向膜  １３……第１偏光板  １５……スリット  １６……高誘電率膜  １７……低誘電率膜  ２０……第２基板  ２１……第２電極  ２２……第２配向膜  ６０……液晶層  ６１……液晶分子  １００……液晶レンズ  ２００……表示装置  ３００……接着材  ｄ……セルギャップ  ｗ１……第１電極幅  ｗ２……第２電極幅  ｓ……第２電極間隔  Ｂ……眼間距離  Ｆ……電気力線  Ｌ……左眼用画素  Ｒ……右眼用画素  Ｐ……画素ピッチ  Ｑ……第２電極ピッチ  ＰＡ……偏光軸
【図１】
2014228840.tif 000004
【図２】
2014228840.tif 000005
【図３】
2014228840.tif 000006
【図４】
2014228840.tif 000007
【図５】
2014228840.tif 000008
【図６】
2014228840.tif 000009
【図７】
2014228840.tif 000010
【図８】
2014228840.tif 000011
【図９】
2014228840.tif 000012
【図１０】
2014228840.tif 000013
【図１１】
2014228840.tif 000014
【図１２】
2014228840.tif 000015
【図１３】
2014228840.tif 000016
【図１４】
2014228840.tif 000017
【図１５】
2014228840.tif 000018
【図１６】
2014228840.tif 000019
【図１７】
2014228840.tif 000020
【図１８】
2014228840.tif 000021